【手続補正書】
【提出日】平成20年1月16日(2008.1.16)
【手続補正１】
【補正対象書類名】特許請求の範囲
【補正対象項目名】全文
【補正方法】変更
【補正の内容】
【特許請求の範囲】
【請求項１】
（A）下記の公称一般式で示される化合物を含む第１の電極：
Ａa［Ｍm，ＭＩn，ＭＩＩo］（ＸＹ4）dＺe ，
ここで、
（ｉ）  Ａは周期律表の１族からの元素およびそれらの組み合わせからなる群より選択され、０＜ａ≦９；
（ｉｉ）  Ｍ，ＭＩおよびＭＩＩの少なくとも１つはレドックス活性元素で、０＜ｍ、ｎ、ｏ≦４、さらに１／２［Ｖ（ＭＩ）＋Ｖ（ＭＩＩ）］＝Ｖ（Ｍ）であり、ここでＶ（Ｍ）はＭの原子価状態、Ｖ（ＭＩ）はＭＩの原子価状態、Ｖ（ＭＩＩ）はＭＩＩの原子価状態を示し、ＭＩはＬｉ1+，Ｋ1+，Ｎａ1+，Ｒｕ1+，Ｃｓ1+およびそれらの組み合わせからなる群より選択され、
（ｉｉｉ）  ＸＹ4はＸ'［Ｏ4-x，Ｙ'x］，Ｘ'［Ｏ4-y，Ｙ'2y］，Ｘ"Ｓ4，［Ｘ"'z，Ｘ'1-z］Ｏ4およびそれらの組み合わせからなる群より選択され、
（ａ）Ｘ'、Ｘ"'はそれぞれ独立してＰ，Ａｓ，Ｓｂ，Ｓｉ，Ｇｅ，Ｖ，Ｓおよびそれらの組み合わせからなる群より選択され、
（ｂ）Ｘ"はＰ，Ａｓ，Ｓｂ，Ｓｉ，Ｇｅ，Ｖおよびそれらの組み合わせからなる群より選択され、
（ｃ）Ｙ'はハロゲン、Ｓ，Ｎおよびそれらの組み合わせからなる群より選択され、
（ｄ）０≦ｘ≦３，０≦ｙ≦２，０≦ｚ≦１および１≦ｄ≦３であり；
（ｉｖ）Ｚは水酸基（ＯＨ），ハロゲンおよびそれらの組み合わせからなる群より選択され、かつ０≦ｅ≦４であり；
Ａ，Ｍ，ＭＩ，ＭＩＩ，Ｘ，Ｙ，Ｚ，ａ，ｍ，ｎ，ｏ，ｄおよびｅは該化合物の電気的中性を保持するように選択される；
（B）第２の電極；および
（C）電解質
を含むバッテリ。
【請求項２】
ＡはＬｉ，Ｋ，Ｎａおよびそれらの組み合わせからなる群より選択される請求項１記載のバッテリ。
【請求項３】
ＡはＬｉである請求項１記載のバッテリ。
【請求項４】
少なくともＭおよびＭＩＩの１つは非レドックス活性元素である請求項１記載のバッテリ。
【請求項５】
ＭおよびＭＩＩの１つは非レドックス活性元素である請求項１記載のバッテリ。
【請求項６】
（A）下記の公称一般式；
Ａa［Ｍm，ＭＩn，ＭＩＩo］（ＸＹ4）dＺe ，
（ここで、
（ｉ）  Ａは周期律表の１族からの元素およびそれらの組み合わせからなる群より選択され、０＜ａ≦９；
（ｉｉ）  Ｍ，ＭＩおよびＭＩＩの少なくとも１つはレドックス活性元素で、０＜ｍ、ｎ、ｏ≦４、さらに１／２［Ｖ（ＭＩ）＋Ｖ（ＭＩＩ）］＝Ｖ（Ｍ）であり、ここでＶ（Ｍ）はＭの原子価状態、Ｖ（ＭＩ）はＭＩの原子価状態，Ｖ（ＭＩＩ）はＭＩＩの原子価状態を示し；
（ｉｉｉ）  ＸＹ4はＸ'［Ｏ4-x，Ｙ'x］，Ｘ'［Ｏ4-y，Ｙ'2y］，Ｘ"Ｓ4，［Ｘ"'z，Ｘ'1-z］Ｏ4およびそれらの組み合わせからなる群より選択され、
（ａ）Ｘ'、Ｘ"'はそれぞれ独立してＰ，Ａｓ，Ｓｂ，Ｓｉ，Ｇｅ，Ｖ，Ｓおよびそれらの組み合わせからなる群より選択され、
（ｂ）Ｘ"はＰ，Ａｓ，Ｓｂ，Ｓｉ，Ｇｅ，Ｖおよびそれらの組み合わせからなる群より選択され、
（ｃ）Ｙ'はハロゲン、Ｓ，Ｎおよびそれらの組み合わせからなる群より選択され、
（ｄ）０≦ｘ≦３，０≦ｙ≦２，０≦ｚ≦１および１≦ｄ≦３であり；
（ｉｖ）Ｚは水酸基（ＯＨ），ハロゲンおよびそれらの組み合わせからなる群より選択され、かつ０＜ｅ≦１であり；
Ａ，Ｍ，ＭＩ，ＭＩＩ，Ｘ，Ｙ，Ｚ，ａ，ｍ，ｎ，ｏ，ｄおよびｅは該化合物の電気的中性を保持するように選択される。）
で示される化合物を含む第１の電極；
（B）第２の電極；および
（C）電解質
を含むバッテリ。
【請求項７】
ＡはＬｉ，Ｋ，Ｎａおよびそれらの組み合わせからなる群より選択される請求項６記載のバッテリ。
【請求項８】
ＡはＬｉである請求項６記載のバッテリ。
【請求項９】
Ｍ，ＭＩおよびＭＩＩは、それぞれレドックス活性元素である請求項６記載のバッテリ。
【請求項１０】
ＭＩは１＋の酸化状態、２＋の酸化状態、３＋の酸化状態のレドックス活性元素およびそれらの組み合わせからなる群より選択される請求項９記載のバッテリ。
【請求項１１】
少なくともＭおよびＭＩＩの１つは非レドックス活性元素である請求項６記載のバッテリ。
【請求項１２】
ＭＩはＣｕ1+，Ａｇ1+およびそれらの組み合わせからなる群より選択された請求項６記載のバッテリ。
【請求項１３】
少なくともＭおよびＭＩＩの１つは非レドックス活性元素である請求項１２記載のバッテリ。
【請求項１４】
ＭＩはＴｉ2+，Ｖ2+，Ｃｒ2+，Ｍｎ2+，Ｆｅ2+，Ｃｏ2+，Ｎｉ2+，Ｃｕ2+，Ｍｏ2+，Ｓｉ2+，Ｓｎ2+，Ｐｂ2+およびそれらの組み合わせからなる群より選択される請求項６記載のバッテリ。
【請求項１５】
少なくともＭおよびＭＩＩの１つは非レドックス活性元素である請求項１４記載のバッテリ。
【請求項１６】
ＭＩはＴｉ3+，Ｖ3+，Ｃｒ3+，Ｍｎ3+，Ｆｅ3+，Ｃｏ3+，Ｎｉ3+，Ｍｏ3+，Ｎｂ3+およびそれらの組み合わせからなる群より選択される請求項６記載のバッテリ。
【請求項１７】
少なくともＭおよびＭＩＩの１つは非レドックス活性元素である請求項１６記載のバッテリ。
【請求項１８】
ＭＩは１＋の酸化状態、２＋の酸化状態、３＋の酸化状態の非レドックス活性元素およびそれらの組み合わせからなる群より選択される請求項６記載のバッテリ。
【請求項１９】
ＭおよびＭＩＩの１つは非レドックス活性元素である請求項１８記載のバッテリ。
【請求項２０】
ＭＩはＬｉ1+，Ｋ1+，Ｎａ1+，Ｒｕ1+，Ｃｓ1+及びそれらの組み合わせからなる群より選択される請求項１８記載のバッテリ。
【請求項２１】
ＭおよびＭＩＩの１つは非レドックス活性元素である請求項２０記載のバッテリ。
【請求項２２】
ＭＩはＢｅ2+，Ｍｇ2+，Ｃａ2+，Ｓｒ2+，Ｂａ2+，Ｚｎ2+，Ｃｄ2+，Ｃ2+，Ｇｅ2+およびそれらの組み合わせからなる群より選択される請求項１８記載のバッテリ。
【請求項２３】
ＭおよびＭＩＩの１つは非レドックス活性元素である請求項２２記載のバッテリ。
【請求項２４】
ＭＩはＢｅ2+，Ｍｇ2+，Ｃａ2+，Ｓｒ2+，Ｂａ2+およびそれらの組み合わせからなる群より選択される請求項１８記載のバッテリ。
【請求項２５】
ＭＩはＺｎ2+，Ｃｄ2+およびそれらの組み合わせからなる群より選択される請求項１８記載のバッテリ。
【請求項２６】
ＭＩはＣ2+，Ｇｅ2+およびそれらの組み合わせからなる群より選択される請求項１８記載のバッテリ。
【請求項２７】
ＭＩはＳｃ3+，Ｙ3+，Ｂ3+，Ａｌ3+，Ｇａ3+およびそれらの組み合わせからなる群より選択される請求項１８記載のバッテリ。
【請求項２８】
ＭおよびＭＩＩの１つは非レドックス活性元素である請求項６記載のバッテリ。
【請求項２９】
（A）下記の公称一般式；
Ａa［Ｍm，ＭＩn，ＭＩＩo］（ＸＹ4)3 Ｚe ，
（ここで、
（ｉ）  Ａは周期律表の１族からの元素およびそれらの組み合わせからなる群より選択され、０＜ａ≦５；
（ｉｉ）  Ｍ，ＭＩおよびＭＩＩの少なくとも１つはレドックス活性元素で、１＜ｍ、ｎ、ｏ≦３、さらに１／２［Ｖ（ＭＩ）＋Ｖ（ＭＩＩ）］＝Ｖ（Ｍ）であり、ここでＶ（Ｍ）はＭの原子価状態、Ｖ（ＭＩ）はＭＩの原子価状態，Ｖ（ＭＩＩ）はＭＩＩの原子価状態を示し；
（ｉｉｉ）  ＸＹ4はＸ'［Ｏ4-x，Ｙ'x］，Ｘ'［Ｏ4-y，Ｙ'2y］，Ｘ"Ｓ4，［Ｘ"'z，Ｘ'1-z］Ｏ4およびそれらの組み合わせからなる群より選択され、
（ａ）Ｘ'、Ｘ"'はそれぞれ独立してＰ，Ａｓ，Ｓｂ，Ｓｉ，Ｇｅ，Ｖ，Ｓおよびそれらの組み合わせからなる群より選択され、
（ｂ）Ｘ"はＰ，Ａｓ，Ｓｂ，Ｓｉ，Ｇｅ，Ｖおよびそれらの組み合わせからなる群より選択され、
（ｃ）Ｙ'はハロゲン、Ｓ，Ｎおよびそれらの組み合わせからなる群より選択され、
（ｄ）０≦ｘ≦３，０≦ｙ≦２および０≦ｚ≦１であり；
（ｉｖ）Ｚは水酸基（ＯＨ），ハロゲンおよびそれらの組み合わせからなる群より選択され、かつ０＜ｅ≦４であり；
Ａ，Ｍ，ＭＩ，ＭＩＩ，Ｘ，Ｙ，Ｚ，ａ，ｍ，ｎ，ｏおよびｅは該化合物の電気的中性を保持するように選択される。）
で示される化合物を含む第１の電極；
（B）第２の電極；および
（C）電解質
を含むバッテリ。
【請求項３０】
ＡはＬｉ，Ｋ，Ｎａおよびそれらの組み合わせからなる群より選択される請求項２９記載のバッテリ。
【請求項３１】
ＡはＬｉである請求項２９記載のバッテリ。
【請求項３２】
Ｍ，ＭＩおよびＭＩＩは、それぞれレドックス活性元素である請求項２９記載のバッテリ。
【請求項３３】
ＭＩは１＋の酸化状態、２＋の酸化状態、３＋の酸化状態のレドックス活性元素およびそれらの組み合わせからなる群より選択される請求項３２記載のバッテリ。
【請求項３４】
少なくともＭおよびＭＩＩの１つは非レドックス活性元素である請求項２９記載のバッテリ。
【請求項３５】
ＭＩはＣｕ1+，Ａｇ1+およびそれらの組み合わせからなる群より選択された請求項２９記載のバッテリ。
【請求項３６】
少なくともＭおよびＭＩＩの１つは非レドックス活性元素である請求項３５記載のバッテリ。
【請求項３７】
ＭＩはＴｉ2+，Ｖ2+，Ｃｒ2+，Ｍｎ2+，Ｆｅ2+，Ｃｏ2+，Ｎｉ2+，Ｃｕ2+，Ｍｏ2+，Ｓｉ2+，Ｓｎ2+，Ｐｂ2+およびそれらの組み合わせからなる群より選択される請求項２９記載のバッテリ。
【請求項３８】
少なくともＭおよびＭＩＩの１つは非レドックス活性元素である請求項３７記載のバッテリ。
【請求項３９】
ＭＩはＴｉ3+，Ｖ3+，Ｃｒ3+，Ｍｎ3+，Ｆｅ3+，Ｃｏ3+，Ｎｉ3+，Ｍｏ3+，Ｎｂ3+およびそれらの組み合わせからなる群より選択される請求項２９記載のバッテリ。
【請求項４０】
少なくともＭおよびＭＩＩの１つは非レドックス活性元素である請求項３９記載のバッテリ。
【請求項４１】
ＭＩは１＋の酸化状態、２＋の酸化状態、３＋の酸化状態の非レドックス活性元素およびそれらの組み合わせからなる群より選択される請求項２９記載のバッテリ。
【請求項４２】
ＭおよびＭＩＩの１つは非レドックス活性元素である請求項４１記載のバッテリ。
【請求項４３】
ＭＩはＬｉ1+，Ｋ1+，Ｎａ1+，Ｒｕ1+，Ｃｓ1+及びそれらの組み合わせからなる群より選択される請求項４１記載のバッテリ。
【請求項４４】
ＭおよびＭＩＩの１つは非レドックス活性元素である請求項４３記載のバッテリ。
【請求項４５】
ＭＩはＢｅ2+，Ｍｇ2+，Ｃａ2+，Ｓｒ2+，Ｂａ2+，Ｚｎ2+，Ｃｄ2+，Ｃ2+，Ｇｅ2+からなる群より選択される請求項４１記載のバッテリ。
【請求項４６】
ＭおよびＭＩＩの１つは非レドックス活性元素である請求項４５記載のバッテリ。
【請求項４７】
ＭＩはＢｅ2+，Ｍｇ2+，Ｃａ2+，Ｓｒ2+，Ｂａ2+およびそれらの組み合わせからなる群より選択される請求項４１記載のバッテリ。
【請求項４８】
ＭＩはＺｎ2+，Ｃｄ2+およびそれらの組み合わせからなる群より選択される請求項４１記載のバッテリ。
【請求項４９】
ＭＩはＣ2+，Ｇｅ2+およびそれらの組み合わせからなる群より選択される請求項４１記載のバッテリ。
【請求項５０】
ＭＩはＳｃ3+，Ｙ3+，Ｂ3+，Ａｌ3+，Ｇａ3+およびそれらの組み合わせからなる群より選択される請求項４１記載のバッテリ。
【請求項５１】
ＭおよびＭＩＩの１つは非レドックス活性元素である請求項２９記載のバッテリ。
【請求項５２】
ＸＹ4はＰＯ4，ＡｓＯ4，ＳｂＯ4，ＳｉＯ4，ＧｅＯ4，ＶＯ4，ＳＯ4およびそれらの組み合わせからなる群より選択される請求項１〜５１のいずれか１項に記載のバッテリ。
【請求項５３】
ＸＹ4はＰＯ4である請求項１〜５１のいずれか１項に記載のバッテリ。
【請求項５４】
ＺはＯＨ，Ｆ，Ｃｌ，Ｂｒおよびそれらの組み合わせからなる群より選択される請求項１〜５１のいずれか１項に記載のバッテリ。
【請求項５５】
ＺはＦである請求項１〜５１のいずれか１項に記載のバッテリ。
【請求項５６】
ｅ＝０である請求項１〜５および２９〜５１のいずれか１項に記載のバッテリ。
【請求項５７】
前記化合物は公称一般式Ａa［Ｍm-n-o，ＭＩn，ＭＩＩo］（ＸＹ4）dＺe で示される請求項１〜２８のいずれか１項に記載のバッテリ。
【請求項５８】
前記化合物は公称一般式Ａa［Ｍm-(n/V(M))-(o/V(M))，ＭＩn/V(MI)，ＭＩＩo/V(MII)］（ＸＹ4）dＺeで示される請求項１〜２８のいずれか１項に記載のバッテリ。
【請求項５９】
ｄ＝１、ＡはＬｉ，ＸＹ4はＰＯ4である請求項１〜２８のいずれか１項に記載のバッテリ。
【請求項６０】
ｄ＝３、ＡはＬｉ，ＸＹ4はＰＯ4である請求項１〜２８のいずれか１項に記載のバッテリ。
【請求項６１】
前記第２の電極はインサーション活性物質を含む請求項１〜５１のいずれか１項に記載のバッテリ。
【請求項６２】
前記インサーション活性物質は金属酸化物、金属カルコゲナイド、炭素、グラファイトおよびそれらの組み合わせからなる群より選択される請求項１〜５１のいずれか１項に記載のバッテリ。
【請求項６３】
前記インサーション活性物質はグラファイトである請求項１〜５１のいずれか１項に記載のバッテリ。
【請求項６４】
前記電解質はジメチルカーボネート（ＤＭＣ）、ジエチルカーボネート（ＤＥＣ）、ジプロピルカーボネート（ＤＰＣ）、エチルメチルカーボネート（ＥＭＣ）、エチレンカーボネート（ＥＣ）、プロピレンカーボネート（ＰＣ）、ブチレンカーボネート、ラクトン、エステル、グリメス、スルホキシド、スルホランおよびそれらの組み合わせからなる群より選択される溶媒とリチウム塩を含む請求項６３記載のバッテリ。
【請求項６５】
前記電解質はＥＣ／ＤＭＣ、ＥＣ／ＤＥＣ、ＥＣ／ＤＰＣ、及びＥＣ／ＥＭＣからなる群より選択された溶媒を含む請求項６４記載のバッテリ。